(57)【要約】  この検体容器は、上端に開口が設けられ、検体を収容可能に構成された試料収容部と、開口を密封し、試料収容部に収容された検体を吸引するための吸引管により貫通可能に構成された密封部材と、試料収容部の開口側に試料収容部と直列に配置され、吸引管を挿入可能な所定高さを有する筒状部とを備える。
2009008358.tif 000002
【特許請求の範囲】
【請求項１】
上端に開口が設けられ、検体を収容可能に構成された試料収容部と、
前記開口を密封し、前記試料収容部に収容された検体を吸引するための吸引管により貫通可能に構成された密封部材と、
前記試料収容部の開口側に前記試料収容部と直列に配置され、前記吸引管を挿入可能な所定高さを有する筒状部とを備える、検体容器。
【請求項２】
前記密封部材は、前記検体容器の高さに対して前記試料収容部の底部から１０％以上８０％以下の位置に配置されている、請求項１に記載の検体容器。
【請求項３】
前記試料収容部および前記筒状部は、それぞれ、互いに係合するための係合部を含む、請求項１に記載の検体容器。
【請求項４】
前記密封部材は、前記試料収容部と前記筒状部とにより挟持されることによって固定されるように構成されている、請求項１に記載の検体容器。
【請求項５】
前記筒状部は、前記試料収容部に収容された検体を識別するための識別情報を有する識別子を含む、請求項１に記載の検体容器。
【請求項６】
前記密封部材と前記筒状部とは、一体的に形成されている、請求項１に記載の検体容器。
【請求項７】
前記検体容器の高さは、７０ｍｍ以上８０ｍｍ以下である、請求項１に記載の検体容器。
【請求項８】
前記試料収容部に収容される検体は、検体を分析するための分析装置の精度管理に用いられるコントロール試料である、請求項１に記載の検体容器。
【請求項９】
前記試料収容部に予め収容され、検体を分析するための分析装置の精度管理に用いられる前記検体としてのコントロール試料をさらに備える、請求項１に記載の検体容器。
【請求項１０】
分析装置によって分析される検体を収容するための検体容器であって、
底部を有する筒状の形状に形成され、前記検体容器の上端部と底部との間の所定位置には、検体を密封して収容するための密封部材が配置されている、検体容器。
【請求項１１】
前記密封部材は、前記検体容器の高さに対して前記底部から１０％以上８０％以下の位置に配置されている、請求項１０に記載の検体容器。
【請求項１２】
上端に開口を有するとともに、下端に底部を有する筒状の容器本体と、
前記容器本体に取り付け可能であり、前記容器本体の開口を密閉するための密封部材を含む筒状体とを備え、
前記筒状体が前記容器本体に取り付けられることにより、前記容器本体の開口が前記密封部材によって密閉されるように構成されている、請求項１０に記載の検体容器。
【請求項１３】
前記筒状体は、一端に前記容器本体と係合する第１係合部を含み、
前記容器本体は、前記開口を有する側の端部に前記第１係合部と係合する第２係合部を含み、
前記第１係合部と前記第２係合部とが係合することにより前記筒状体が前記容器本体に取り付けられるように構成されている、請求項１２に記載の検体容器。
【請求項１４】
前記筒状体は、前記密封部材を保持するための保持部をさらに含む、請求項１２に記載の検体容器。
【請求項１５】
上端に開口を有するとともに、下端に底部を有する筒状の容器本体と、
前記容器本体の開口を密封するための密封部材としての蓋体と、
前記蓋体によって密閉された前記容器本体または前記蓋体のいずれか一方に取り付け可能な筒状体とを備える、請求項１０に記載の検体容器。
【発明の詳細な説明】
【技術分野】
【０００１】
本発明は、臨床検査分野などで用いられる血液などの検体を収容するための検体容器に関し、特に、自動分析装置の精度管理に用いられるコントロール試料などの少量検体を収容する検体容器に関する。
【背景技術】
【０００２】
近年の臨床検査分野における患者検体の測定数の増加に伴い、検体の搬送から前処理および多項目の測定に至るまで検体測定の自動化が進められている。また、自動分析装置の精度管理を行うためのコントロール試料の測定についても自動化が図られている。【０００３】
自動血球計数装置のような自動分析装置において精度管理を行う場合には、コントロール血液などのコントロール試料が所定の検体容器に収容されて使用される。コントロール試料を収容した検体容器は、患者検体が収容された複数の検体容器とともに検体ラックに載置されて自動分析装置に提供される。また、患者検体が収容された検体容器には、患者検体を識別するためのバーコードラベルが貼付されているとともに、コントロール試料が収容された検体容器には、コントロール試料を識別するためのバーコードラベルが貼付されている。これら検体容器に貼付されたバーコードラベルのバーコードは、自動分析装置のバーコードリーダによって読み取られ、検体容器に収容されている検体が患者検体であるか、または、コントロール試料であるかが識別される。【０００４】
測定に際しては、検体容器内の血球等の成分を均一に分散させるために検体容器内の血球等が攪拌される。その後、吸引管が検体容器に挿入されて試料の吸引および血球計数などの成分測定が行われる。【０００５】
コントロール試料は、測定に必要な検体の量が患者検体に比べて少量で足りるため、通常の検体容器では、コントロール試料の量に対して容積が大きすぎる。このため、通常の検体容器に収容されたコントロール試料を攪拌すると、検体容器内でコントロール試料の移動量が大きくなり、その結果、検体にダメージを与えてしまう可能性がある。また、コントロール試料は、１回のみ測定が行われる患者検体と異なり、複数回にわたって使用（測定）される事情がある。このため、コントロール試料は、複数回にわたって攪拌によるダメージを受けることとなり、コントロール試料の精度に与える影響は大きなものとなり得る。また、コントロール試料の量に比べて検体容器の容積が大きいため、検体容器の内面に付着して残留するコントロール試料の割合が大きくなり、その結果、攪拌が不十分になると考えられる。【０００６】
一方、コントロール試料の量に合わせて検体容器そのものを小型化すると、通常の検体容器と比べて大きさが異なるため、患者検体を収容した通常の検体容器と同様の動作で、攪拌や吸引等の測定動作を行うことができない可能性がある。そして、これにより、コントロール試料の測定を自動で行うことができないという不都合が生じる。さらには、検体容器の外側表面にバーコードラベルを貼付するための面積を確保することができなくなり、検体容器に収容された検体が患者検体であるか、または、コントロール試料であるかをバーコードによって自動的に識別することができなくなる。これによっても、自動分析を行うことが困難となる。【０００７】
ここで、少量の検体を収容するための容器として、実開平５−３６３６４号公報に「検体容器」なる考案が開示されている。この検体容器は、キャップと、キャップにより開閉される筒状の容器本体とからなる検体容器であって、通常の検体容器と同様の外形を有するとともに、容器本体の底を、筒状体の中程に形成したものである。つまり、この検体容器はいわゆる上げ底となっており、試料を収容する容積が通常の検体容器よりも小さくなっている。このような構成により、少量の検体を収容して攪拌を行っても検体容器内での試料の移動量が小さいので、検体に与えるダメージが低減される。また、検体容器の外形を小型化しないので、通常の検体容器に対して行うのと同様の動作で、自動分析装置によって検体容器内の検体を攪拌することが可能であるとともに、バーコードラベルを貼付するための面積も外側表面に確保することが可能である。【０００８】
しかしながら、上記実開平５−３６３６４号公報に記載の検体容器では、通常の検体容器に対して行うのと同様の動作で、検体容器内の検体を攪拌することが可能であるとともに、バーコードラベルを貼付することも可能である一方、検体容器が上げ底状に形成されているので、自動分析装置によって上方から吸引管が挿入されるときに吸引管の先端が上げ底にされた底部に衝突してしまうおそれがある。このような問題を回避するためには、検体容器の形態に応じて吸引管の挿入深さを調節する手段が必要となり、分析装置の構成が複雑化してしまう。【０００９】
このように、検体試料が少量である場合には、検体試料にダメージを与えず、かつ、攪拌が不均一とならないように検体容器の容積を小さくすることが求められる。また、自動分析装置による攪拌等の動作が円滑に行えるよう十分な高さを確保しつつ、さらには吸引管が底部に衝突することがないように検体容器の深さを確保することも必要である。これらの要求をすべて充足するような検体容器が望まれている。
【発明の開示】
【００１０】
この発明は、上記のような課題を解決するためになされたものであり、本発明の１つの目的は、コントロール試料などの少量検体を収容するための検体容器であって、自動分析装置による測定に適した検体容器を提供することである。
【００１１】
この発明の第１の局面による検体容器は、上端に開口が設けられ、検体を収容可能に構成された試料収容部と、開口を密封し、試料収容部に収容された検体を吸引するための吸引管により貫通可能に構成された密封部材と、試料収容部の開口側に試料収容部と直列に配置され、吸引管を挿入可能な所定高さを有する筒状部とを備える。
【００１２】
この発明の第２の局面による検体容器は、分析装置によって分析される検体を収容するための検体容器であって、検体容器は、底部を有する筒状の形状を有するとともに、検体容器の上端部と底部との間の所定位置には、検体を密封して収容するための密封部材が配置されている。
【００１３】
この第１の局面による検体容器では、上記のように、上端に開口が設けられ、検体を収容可能に構成された試料収容部と、開口を密封し、試料収容部に収容された検体を吸引するための吸引管により貫通可能に構成された密封部材と、試料収容部の開口側に試料収容部と直列に配置され、吸引管を挿入可能な所定高さを有する筒状部とを設けることによって、試料収容部を密封する密封部材が、検体容器の上端と底部との間の所定位置に配置されるので、検体容器全体の容積に比べて、検体が収容される密封容積を小さくすることができる。これにより、検体容器に少量検体を収容した状態で攪拌を行っても、容器内での検体の移動量が小さくなるので、攪拌による検体へのダメージを低減するとともに、検体の攪拌が不均一となるのを防止することができる。また、筒状部の高さを調整すれば、検体容器全体の高さを通常の検体容器の高さと同じになるように形成することができるので、通常の検体容器と同様の動作で分析装置による攪拌等の動作を行うことができるとともに、外側表面にバーコードラベルを貼付するための十分な領域を確保することができる。また、本発明による検体容器は、上げ底と異なり上端から底部まで十分な深さを有するので、通常の検体容器と同様の動作で吸引を行う場合でも、吸引管が底部に衝突するのを抑制することができる。その結果、自動分析装置による自動分析に適した検体容器を提供することができる。
【図面の簡単な説明】
【００１４】
【図１】本発明の第１実施形態における検体容器の外観を示す正面図である。
【図２】本発明の第１実施形態における検体容器の分解した状態を示す断面図である。
【図３】本発明の第１実施形態における検体容器の断面図である。
【図４】本発明の第２実施形態における検体容器の断面図である。
【図５】本発明の第３実施形態における検体容器の断面図である。
【図６】本発明の第４実施形態における検体容器の分解した状態を示す断面図である。
【図７】本発明の第４実施形態における検体容器の断面図である。
【図８】本発明の第４実施形態における検体容器の筒状体を取り付けない状態を示す断面図である。
【図９】本発明の第１〜第４実施形態における検体容器の使用例を示す斜視図である。
【図１０】本発明の第１〜第４実施形態における検体容器の使用例を示す正面図である。
【図１１】本発明の第１〜第４実施形態における検体容器を自動分析装置に供給して使用する例を示した概略構成図である。
【図１２】本発明の第１〜第４実施形態における検体容器の変形例を説明するための断面図である。
【発明を実施するための最良の形態】
【００１５】
以下、本発明の実施形態を図面に基づいて説明する。【００１６】
（第１実施形態）
まず、図１〜図３および図９〜図１１を参照して、本発明の第１実施形態による検体容器１１０について説明する。【００１７】
本発明の第１実施形態による検体容器１１０は、図１に示すように、コントロール試料２００（図３参照）などの検体を収容するための検体容器であって、試験管形状の外観を有している。検体容器１１０は、図２に示すように、底部２ｂを含む容器本体２と、容器本体２に連結可能な筒状体３と、密封部材４とを備えている。【００１８】
また、検体容器１１０は、図１および図３に示すように、約７０ｍｍ以上約８０ｍｍ以下の高さＨ（ｍｍ）を有し、約１２ｍｍ以上約１５ｍｍ以下の幅（外径）Ｗを有している。この寸法は、患者検体が収容される通常の容積を有する検体容器１００（図９および図１０参照）とほぼ同じ寸法となっている。また、図９に示すように、検体容器１１０は、平面的に見て、円形形状に形成されている。【００１９】
検体容器１１０の外周面には、図１に示すように、収容された検体を識別するための情報を有するバーコードラベル１０が貼付されている。検体容器１１０は、図９および図１０に示すように、患者検体が収容された通常の検体容器１００とともに検体ラック５０に載置された状態で、自動血球計数装置６０（図１１参照）に供給される。検体容器１００および１１０のバーコードラベル１０は、自動血球計数装置６０のバーコードリーダ６５により読み取られるように構成されており、その情報に基づいて制御部６３により検体容器に収容された検体試料の判別が行われる。そして、検体容器に収容された検体がコントロール試料であると判別されると、その測定結果は精度管理に用いられる。【００２０】
容器本体２は、図２に示すように、丸みを帯びた底部２ｂを有し、上端に開口２０が形成された筒状の容器である。そして、その内部は、図３に示すように、コントロール試料２００を収容するための試料収容部２ｃとして機能する。容器本体２は、ポリエチレンテレフタレート（ＰＥＴ）などの硬質プラスチックによって形成されている。容器本体２は、上端の開口２０近傍に、容器本体２の外側に突出するように形成された螺旋状の雄ネジ部２ａを有している。容器本体２の雄ネジ部２ａは、筒状体３に設けられた後述する雌ネジ部３ａと螺合することにより容器本体２と筒状体３とが連結されるように構成されている。また、容器本体２は、外径が検体容器の幅（外径）Ｗと実質的に同じ大きさになるように形成されている。容器本体２の厚みは、図２および図３に示すように、筒状体３の厚みよりも肉厚に形成されており、容器本体２の収容容積がより小さく形成されている。すなわち、容器本体２の内径は、筒状体３の内径よりも小さくなっている。また、雄ネジ部２ａが形成された部分の容器本体２の厚みは、容器本体２のその他の部分の厚みよりも小さくなるように構成されている。【００２１】
筒状体３は、筒状の形状に形成され、下側端部から上側端部まで続く貫通孔を有している。また、筒状体３は、容器本体２と同様に硬質プラスチックにより形成されている。筒状体３は、下側端部近傍に容器本体２の雄ネジ部２ａと螺合する雌ネジ部３ａを有している。具体的には、下側端部近傍の内周表面に、雄ネジ部２ａと螺合するように螺旋状の雌ネジ部３ａが形成されている。また、筒状体３の上側端部には、吸引管が挿通される開口３０が設けられている。【００２２】
さらに、筒状体３の内側であって雌ネジ部３ａの上部には、部分的に肉厚に形成されてなる保持部３ｂが設けられており、この保持部３ｂにより密封部材４が筒状体３の内側で保持されている。具体的には、保持部３ｂは、上側から下側に向かって徐々に肉厚が大きくなるようにテーパ状に形成されている。すなわち、筒状体３は、保持部３ｂにより、内径が円錐状に徐々に小さくなっている。そして、筒状体３の最も内径が小さくなっている部分の下側には、筒状体３の下側端部近傍の肉厚よりも大きく、かつ、保持部材３ｂにより筒状体３の内径が最も小さくなっている部分の肉厚よりも小さい肉厚に形成された密封部材配置部３ｃが設けられている。密封部材４は、密封部材配置部３ｃにおいて、筒状体３の貫通孔を塞ぐように配置されている。このような構成とすることで、容器本体２が筒状体３に取り付けられると、容器本体２の上端が密封部材４に当接されるので、上端の開口２０が密封部材４により密閉される。さらに、筒状体３の開口３０近傍は、リング状に肉厚に形成されており、肉厚部分の外径が筒状体３のその他の部分の外径よりも大きくなっている。すなわち、リング状の肉厚部分は、筒状体３のその他の部分よりも外側に突出している。これにより、たとえば、検体ラック５０（図９および図１０参照）に載置された検体容器１１０を取り出す際に、引掛かり部として機能することで取り出しが容易になる。【００２３】
筒状体３の高さは、筒状体３が容器本体２に連結された状態における検体容器の高さと患者検体が収容される通常の検体容器１００の高さＨ（ｍｍ）とが実質的に同じになるように調整されている。また、容器本体２および筒状体３からなる検体容器１００は、幅（外径）が通常の検体容器１００の幅（外径）Ｗと実質的に同じになるように構成されている。これにより、検体容器１１０の高さあるいは太さといった外形寸法は、通常の検体容器１００の外径寸法とほぼ同様の寸法となる。【００２４】
密封部材４は、図２および図３に示すように、たとえばシリコーンゴムなどの弾性材料からなり、容器本体２の開口２０より大きい直径を有するように形成されている。また、密封部材４は、平板状の円板形状を有している。また、密封部材４は、筒状体３の内側で、密封部材配置部３ｃにより保持されている。また、密封部材４は、図３に示すように、雄ネジ部２ａおよび雌ネジ部３ａが螺合することにより、容器本体２と筒状体３とが連結されると、容器本体２の上端部により下側から上方向に向かって押圧されるとともに、筒状体３の保持部３ｂにより上方向への移動が規制される。すなわち、密封部材４は、保持部３ｂと容器本体２とに挟まれた状態で、上下方向への移動を制限されている。これにより、密封部材４は、上方から吸引管を穿刺する際に脱落することがないよう堅固に支持される。また、筒状体３と容器本体２とが連結された状態において、密封部材４が筒状体３の保持部３ｂと容器本体２との間に介在することになり、密封部材４により容器本体２の開口２０が密閉される。【００２５】
容器本体２と筒状体３とが連結されて容器本体２が密閉状態となるとき、図３に示すように、密封部材４は、検体容器１１０の高さＨ（ｍｍ）に対して底部２ｂからおよそ４０％の位置（底部２ｂからおよそ０．４Ｈ（ｍｍ）の位置）に配置される。これにより、少量検体が収容された状態で検体容器１１０内の試料が攪拌されても、検体容器１１０内での試料の移動量は極めて少なく、検体試料に与えるダメージを抑えることができる。【００２６】
容器本体２の試料収容部２ｃには、コントロール試料２００が収容される。コントロール試料２００は、自動分析装置によって分析されることによって精度管理情報を提供するために用いられ、所定の成分を既知量含有するものであればよく、その種類は特に限定されない。また、コントロール試料２００としては、たとえば、所定の血中成分を所定量含有するコントロール血液が挙げられる。所定の血中成分としては、網状赤血球および有核赤血球を含む赤血球、網状血小板を含む血小板、およびリンパ球、単球、好中球、好酸球、好塩基球を含む白血球が挙げられる。これらの成分は生体から採取された血液を精製して得られたものであってもよいし、人工的に作製された擬似成分であってもよい。これらの血中成分は、所定の懸濁液に懸濁される。懸濁液はたとえばｐＨ約６．５以上約８．５以下に設定された血中成分と等張の溶媒である。このような等張溶媒に緩衝剤、酸化防止剤、タンパク又はそれらの混合物、たとえば、グルコン酸マグネシウム/エチレンジアミン四酢酸（EDTA）/有核赤血球を有するリン酸緩衝液；添加剤HDLを含む同じ緩衝剤、スルファサラジンおよびアルファトコフェロール；または少量のアルブミンを含む緩衝剤を含有させたものであってもよい。【００２７】
なお、図３に示すコントロール試料２００は、試料収容部２ｃの容積の半分以下の液量で示されているが、コントロール試料２００の液量は、吸引される前の状態（未吸引状態）で、試料収容部２ｃの容積の約８０％以上であることが好ましく、試料収容部２ｃの容積の約９０％以上であればより好ましい。このように構成すれば、試料収容部２ｃ内でのコントロール試料２００の移動量をより小さくすることが可能である。【００２８】
上記のように、検体容器１１０は、図９および図１０に示すように、容器全体としての外形高さが患者検体を収容するための通常の検体容器１００と同じ高さＨ（ｍｍ）になっている。さらに、上端部から底部２ｂまでの検体容器１１０の深さも通常の検体容器１００の深さと実質的に同じである。したがって、吸引管を挿入する深さを、通常の検体容器１００に挿入する場合と実質的に同じ深さとすることができるので、コントロール試料２００などを収容する検体容器１１０のために別途調整する必要がない。これにより、自動血球計数装置６０に特段の変更を行うことなく、通常の検体容器１００に収容された検体を測定するのと同様に、検体容器１１０に収容されたコントロール試料２００などの測定を自動血球計数装置６０により行うことが可能である。さらに、検体容器１１０が十分な高さを有することにより、図１に示すように、検体容器１１０の外側表面にバーコードラベル１０を貼付することが可能である。【００２９】
（第２実施形態）
次に、図３および図４を参照して、本発明の第２実施形態による検体容器１２０について説明する。図４に示すように、この検体容器１２０は、上記において説明した本発明の第１実施形態による検体容器１１０（図３参照）と異なり、容器本体２１が、第１実施形態による検体容器１１０の容器本体２の容積よりも大きい容積を有するように構成されている。【００３０】
第２実施形態による検体容器１２０は、上記第１実施形態における容器本体２よりも長さが長い容器本体２１と、上記第１実施形態における筒状体３よりも長さが短い筒状体３１と、密封部材４とを備えている。具体的には、検体容器１２０は、上記第１実施形態による検体容器１１０と同様に、通常の検体容器１００の高さと実質的に同じＨ（ｍｍ）の高さを有するとともに、密封部材４の位置が検体容器１２０の高さＨ（ｍｍ）に対して底部２ｂからおよそ７５％の位置（底部２ｂからおよそ０．７５Ｈ（ｍｍ）の位置）に配置されるように、容器本体２１および筒状体３１の高さが調整されている。これに伴って、容器本体２１は容積が大きくなっている。【００３１】
なお、第２実施形態による検体容器１２０のその他の構成は、上記第１実施形態と同様である。【００３２】
第２実施形態では、上記のように、上記第１実施形態における容器本体２とは異なる容積を有する容器本体２１を備えた検体容器を作製することにより、検体試料の量や用途に応じて、より適した検体容器を選択することができる。【００３３】
なお、第２実施形態のその他の効果は、上記第１実施形態と同様である。【００３４】
（第３実施形態）
次に、図３および図５を参照して、本発明の第３実施形態による検体容器１３０について説明する。図５に示すように、この検体容器１３０は、上記において説明した本発明の第１実施形態による検体容器１１０（図３参照）と異なり、筒状体３２が、第１筒状体３２ａと第２筒状体３２ｂとの２つの部材により構成されている。【００３５】
第３実施形態による検体容器１３０は、図５に示すように、容器本体２と、筒状体３２と、密封部材４とを備えている。筒状体３２は、密封部材４を保持する第１筒状体３２ａと、第１筒状体３２ａに取り付けられる第２筒状体３２ｂとから構成されている。第１筒状体３２ａは、下側端部近傍に容器本体２に設けられた雄ネジ部２ａと螺合する雌ネジ部３２ｃを有している。具体的には、下側端部近傍の内周表面に、容器本体２の雄ネジ部２ａと螺合するように螺旋状の雌ネジ部３ａが形成されている。これらが螺合することにより、容器本体２と第１筒状体３２ａとが連結される。【００３６】
また、第１筒状体３２ａの上側端部側には、容器本体２に形成された雄ネジ部２ａと同様に螺旋状の雄ネジ部３２ｄが形成されており、雄ネジ部３２ｄが第２筒状体３２ｂの後述する雌ネジ部３２ｅと螺合することにより、第１筒状体３２ａが第２筒状体３２ｂに連結されている。【００３７】
第１筒状体３２ａは、筒状の形状に形成され、下側端部から上側端部まで続く貫通孔を有している。また、第１筒状体３２ａは、高さ方向の中央近傍において、他の部分よりも肉厚に形成された保持部３２ｆを含んでいる。具体的には、保持部３２ｆは、段形状に形成されており、段形状の保持部３２ｆにより、第１筒状体３２ａの内径が上側から下側に向かって２段階に大きくなっている。【００３８】
密封部材４は、保持部３２ｆの２番目に大きな内径を有する位置で、第１筒状体３２ａの貫通孔を塞ぐように保持されている。また、密封部材４は、図５に示すように、雄ネジ部２ａおよび雌ネジ部３２ｃが螺合することにより、容器本体２と第１筒状体３２ａとが連結されると、容器本体２の上端により下側から上方向に向かって押圧されるとともに、筒状体３の保持部３２ｆの段差により上方向への移動が規制される。すなわち、密封部材４は、保持部３２ｆの段差と容器本体２とに挟まれた状態で、上下方向への移動を制限されている。これにより、密封部材４は、上方から吸引管を穿刺する際に脱落することがないよう堅固に支持される。【００３９】
第２筒状体３２ｂは筒状の形状に形成され、下側端部から上側端部まで続く貫通孔を有している。第２筒状体３２ｂの下側端部には、第１筒状体３２ａの雄ネジ部３２ｄと螺合可能な螺旋状の雌ネジ部３２ｅが形成されている。また、第２筒状体３２ｂの上側端部には、吸引管が挿通される開口３０が設けられている。また、第２筒状体３２ｂの雌ネジ部３２ｄの上側に設けられたテーパ部３２ｇは、上側から下方向に向かって第２筒状体３２ｂの内径が徐々に小さくなるようにテーパ状に形成されている。そして、テーパ部３２ｇは、第２筒状体３２ｂの内径が最も小さくなる部分が第１筒状体３２ａの上側端部の内径とほぼ同じ内径の大きさになるように形成されている。【００４０】
なお、第３実施形態による検体容器１３０のその他の構成は、上記第１実施形態と同様である。【００４１】
また、第３実施形態の効果は、上記第１実施形態と同様である。【００４２】
（第４実施形態）
次に、図３および図６〜図８を参照して、本発明の第４実施形態による検体容器１４０について説明する。図７に示すように、この検体容器１４０は、上記において説明した本発明の第１実施形態による検体容器１１０（図３参照）と異なり、密封部材として、容器本体２の内部に入り込み、容器本体２の内面に沿って容器本体２に嵌まり込むように構成された蓋体４０を備えている。【００４３】
検体容器１４０は、図６に示すように、容器本体２と、筒状体３と、密封部材として機能する蓋体４０とを備えている。【００４４】
蓋体４０は、たとえば、シリコーンゴムなどの弾性部材からなり、容器本体２の開口２０に嵌め込まれて容器本体を密閉する栓部４０１と、栓部４０１からリング状に外側に突出するように形成された係止リング部４０２とを含んでいる。また、蓋体４０は、平面的に見て、円形形状に形成されている。【００４５】
栓部４０１は、下側に突出するように形成されており、平面的に見た場合に、外径が容器本体２の内径と実質的に同じ大きさとなるように構成されている。これにより、蓋体４０が容器本体２に嵌め込まれると、栓部４０１の外側面が容器本体２の内側面に当接し、容器本体２を密閉することが可能となる。【００４６】
係止リング部４０２は、栓部４０１が容器本体２に嵌め込まれた状態において、容器本体２の開口２０の縁部（容器本体２の上端面）に当接するように構成されている。これにより、吸引管が上側から下方向に穿刺する際に、蓋部４０が容器本体２内に脱落してしまうのを防止することが可能である。また、図７に示すように、係止リング部４０２は、容器本体２と筒状体３とが連結された状態で、容器本体２の開口２０の縁部と筒状体３の保持部３ｂとに挟み込まれるので、蓋体４０は、吸引管の穿刺に対してより堅固に保持される。なお、筒状体３が蓋体４０に取り付けられる構成としてもよい。【００４７】
なお、第４実施形態による検体容器１４０のその他の構成は、上記第１実施形態と同様である。【００４８】
上記第４実施形態では、上記のように、密封部材として機能する蓋体４０を設け、蓋体４０の栓部４０１を、外径が容器本体２の内径と実質的に同じ大きさとなるように構成することによって、栓部４０１の外側面が容器本体２の内側面に当接し、蓋体４０により容器本体２が密閉されるので、容器本体２を密閉するために筒状体３を容器本体２に取り付ける必要がない。これにより、図８に示すように、容器本体２を蓋体４０により密閉しただけの高さが小さい状態で、容器本体２に収容した検体を保存したり持ち運んだりすることができるので、検体の取り扱いが容易になる。【００４９】
また、第４実施形態では、容器本体２に嵌まり込むようにして、開口２０を密封する密封部材としての蓋体４０を設けることによって、蓋体４０が容器本体２に入り込む分、容器本体２の収容容積を小さくすることができる。【００５０】
なお、第４実施形態のその他の効果は、上記第１実施形態と同様である。【００５１】
次に、図９〜図１１を参照して、第１〜第４実施形態による検体容器１１０、１２０、１３０および１４０と、通常の検体容器１００とが用いられる自動血球計数装置６０による検体の測定動作について説明する。なお、図９〜図１１では、検体容器１００、１１０、１２０、１３０および１４０（以下、検体容器１００などという）の形状の違いがわかるようにバーコードラベルを省略している。【００５２】
第１〜第４実施形態にかかる検体容器１１０、１２０、１３０および１４０（以下、検体容器１１０などという）は、通常の検体容器１００と同様に、複数の検体容器を垂直に保持する検体ラック５０に載置されて自動血球計数装置６０（図１１参照）に供給される。図９および図１０からも明らかなように、検体容器１１０などの外形寸法（高さＨおよび幅（外径）Ｗ）は、通常の検体容器１００と実質的に同じである。これにより、検体容器１１０などは、通常の検体容器１００と全く同様にして検体ラック５０に載置することが可能であるとともに、自動血球計数装置６０によって把持する動作や検体を攪拌する動作も通常の検体容器１００と同様にして行うことが可能である。さらに、検体容器１１０などは、上端部から底部までの高さが通常の検体容器１００と同様であるので、自動血球計数装置６０による吸引管の挿入動作も通常の検体容器１００と同様にして行うことが可能である。【００５３】
自動血球計数装置６０は、図１１に示すように、血液成分を自動で分析可能な自動血球計数装置であり、試料分析部６１と、分析条件の入力や測定結果の出力を行う表示操作部６２と、図示しないＣＰＵおよびメモリからなる制御部６３とを備えている。試料分析部６１は、検体容器１００などを搭載した複数個の検体ラック５０を１つずつ所定位置へ供給するラック供給部６４と、検体容器１００などに貼付されたバーコードラベル１０（図１参照）を読み取るためのバーコードリーダ６５と、検体容器１００などに収容された検体試料を攪拌・吸引するための試料攪拌・吸引部６６と、図示しない吸引された試料を定量する試料定量部、測定試料を調製する試料調製部、および、測定試料の測定を行う試料測定部とを含んでいる。【００５４】
次に、自動血球計数装置６０による検体の測定動作について説明する。【００５５】
まず、図１１に示すように、患者から採取された検体が収容された検体容器１００と、コントロール試料２００（図３参照）が収容された第１〜第４実施形態による検体容器１１０などとが搭載された検体ラック５０を自動血球計数装置６０のラック供給部６４に載置する。そして、オペレータが、表示操作部６２から測定指示を入力すると、ラック供給部６４上の検体ラック５０が自動血球計数装置６０の試料攪拌・吸引部６６方向に移動される。移動される検体ラック５０内の検体容器１００などは、試料攪拌・吸引部６６までの経路上で、バーコードリーダ６５によりバーコードラベル１０が読み取られる。ここで、バーコードリーダ６５による読み取り結果に基づいて、制御部６３により検体容器１００などに収容される検体が識別される。その後、試料攪拌・吸引部６６に搬送された検体ラック５０内の検体容器１００などに収容された検体に対して、試料攪拌・吸引部６６により攪拌および吸引が行われる。攪拌動作は、検体容器１００などが把持されて天地反転を所定回数繰り返すことにより行われる。検体の攪拌が終了した検体容器１００などは、試料攪拌・吸引部６６において、筒状体３（３１、３２）の開口３０を介して挿通された注射針状の試料吸引用細管により、弾性部材からなる密封部材４のほぼ中心部分が穿刺される。そして、試料吸引用細管が密封部材４を貫通し、その先端が容器本体２（２１）の底部２ｂ近傍まで降下したのち、検体容器１００などから検体が吸引される。【００５６】
吸引された検体は、試料分析部６１の試料定量部により定量されるとともに、試料調製部により希釈・溶血などの処理が行われる。その後、検体は、試料測定部により測定が行われて測定データが表示操作部６２に出力される。測定データとしては赤血球数、ヘマトクリット、赤血球平均容積（ＭＣＶ）、血小板数（ＰＬＴ）、白血球数などがある。なお、コントロール試料２００に基づく測定結果は、制御部６３により時系列的に記憶されるとともに管理図などにプロットされる。これにより、たとえば、コントロール試料２００から得られたプロット図などを参照することによって、経時的な測定値のばらつき（変動）を観察することができ、精度よく装置の測定精度を管理することができる。【００５７】
なお、容器本体と筒状体とが連結されたときの密封部材の位置を、第１実施形態においては、検体容器の高さＨ（ｍｍ）に対して底部からおよそ４０％の位置（底部からおよそ０．４Ｈ（ｍｍ）の位置）とし、第２実施形態においては、検体容器の高さＨ（ｍｍ）に対して底部からおよそ７５％の位置（底部からおよそ０．７５Ｈ（ｍｍ）の位置）としたが、本発明はこれに限定されることなく、検体容器の高さＨ（ｍｍ）に対して底部から１０％以上８０％以下の位置であれば、適宜変更してもよい。この場合、検体容器の高さＨ（ｍｍ）に対して約２０％以上約８０％以下の位置に密封部材を配置することが好ましく、検体容器の高さＨ（ｍｍ）に対して約２５％以上約７５％以下の位置に密封部材を配置することがより好ましい。【００５８】
また、上記第１〜第４実施形態においては、筒状体と密封部材（蓋体）とを別体とする構成の例を示したが、本発明はこれに限らず、筒状体と密封部材（蓋体）とを一体的に形成する構成であってもよい。このとき、図１２に示すように、検体容器１５０は、吸引管による穿刺を可能にするため、筒状体３３の密封部材に相当する部分３３ａの厚みが薄く形成されていることが好ましい。また、穿刺を容易にするため密封部材に相当する部分３３ａに切り込みを設けることも可能である。【００５９】
また、上記第１〜第４実施形態においては、容器本体と筒状体とを別体とする構成の例を示したが、本発明はこれに限らず、容器本体と筒状体とを一体的に形成した構成であってもよい。このような検体容器は、たとえば、次のようにして作成される。まず、通常の検体容器と同じ高さＨ（ｍｍ）および同じ幅（外径）Ｗ（ｍｍ）に設計された底部を有する筒状の検体容器の所定深さの位置において、内側面に、内側に突出して形成された係止片を設ける。そして、検体容器の開口から、検体容器の内径と同じかまたは内径より僅かに小さい直径を有するように形成された円盤状の密封部材を挿入し、検体容器の所定深さに設けられた係止片に密封部材を係止させる。このような構成とすることにより、簡素な構造で、かつ少ない部品点数で少量検体用の検体容器を作成することができる。【００６０】
また、上記第４実施形態においては、筒状体の一例として、容器本体に取り付けられるように構成された筒状体を示したが、本発明はこれに限らず、容器本体に嵌めこまれた蓋体に取り付けられるように構成された筒状体であってもよい。
【図１】
2009008358.tif 000003
【図２】
2009008358.tif 000004
【図３】
2009008358.tif 000005
【図４】
2009008358.tif 000006
【図５】
2009008358.tif 000007
【図６】
2009008358.tif 000008
【図７】
2009008358.tif 000009
【図８】
2009008358.tif 000010
【図９】
2009008358.tif 000011
【図１０】
2009008358.tif 000012
【図１１】
2009008358.tif 000013
【図１２】
2009008358.tif 000014
【国際調査報告】
2009008358.tif 000015
2009008358.tif 000016
2009008358.tif 000017
2009008358.tif 000018